(57)【要約】【課題】作業効率を維持しつつ主ラインに接続された副ラインにおける弁手段より上流側の液体に下流側の液体が混入するのを素早く検出することができる透析液供給装置を提供する。【解決手段】給水源２から延設され、供給された水と透析液の原液を混合しつつ調製された透析液をダイアライザ１６側に供給する主ラインＬ１と、末端が主ラインＬ１に合流し、液体を主ラインＬ１に導入し得る副ラインＬ２〜Ｌ５と、該副ラインの途中に配設され、当該副ラインから主ラインＬ１への所定の液体の流動を許容又は遮断し得る電磁バルブＶ１〜Ｖ４とを具備した透析液供給装置において、副ラインにおける電磁バルブよりも上流側に、当該副ライン中の液体の電導度を検出する電導度検出手段１８〜２１を設けたものである。【選択図】　図２
2004016413.tif 000002
【特許請求の範囲】
【請求項１】
給水源から延設され、該給水源から供給された水と透析液の原液を混合しつつ調製された透析液を血液浄化器側に供給する主ラインと、
末端が前記主ラインに合流し、液体を前記主ラインに導入し得る副ラインと、
該副ラインの途中に配設され、当該副ラインから主ラインへの液体の流動を許容又は遮断し得る弁手段と、
を具備した透析液供給装置において、
前記副ラインにおける弁手段よりも上流側に、当該副ライン中の液体の電導度を検出する電導度検出手段を設けたことを特徴とする透析液供給装置。
【請求項２】
前記電導度検出手段は、前記副ライン内に臨ませた複数の電極から成り、一方の電極から発振された電気信号を他方の電極で受信することにより、当該副ライン中の液体の電導度を検出することを特徴とする請求項１記載の透析液供給装置。
【請求項３】
前記副ラインは、
原液注入ポンプが配設され、透析液の原液を前記主ラインに導入する原液導入ラインと、
該原液導入ライン及び主ラインを消毒又は酸洗浄すべく消毒液又は酸洗浄液を流通させる消毒液導入ライン又は酸洗浄液導入ラインと、
から成るとともに、
前記原液導入ラインに設けられた弁手段は、消毒又は酸洗浄時に、前記消毒液又は酸洗浄液が当該原液導入ラインの上流側に流れるのを遮断し得るものとされ、該弁手段より上流側に前記電導度検出手段が設けられたことを特徴とする請求項１又は請求項２記載の透析液供給装置。
【請求項４】
前記原液導入ラインは、
重炭酸ナトリウムを含まないＡ原液を前記主ラインに導入するＡ原液導入ラインと、
重炭酸ナトリウムから成るＢ原液を前記主ラインに導入するＢ原液導入ラインと、
から成り、前記Ｂ原液導入ラインの前記電導度検出手段が配設される箇所は、所定容量の収容空間を有し、該収容空間の下部からＢ原液が導かれ、上部から導出されるとともに、前記電導度検出手段が当該収容空間の高さ方向中央近傍に配設されたことを特徴とする請求項３記載の透析液供給装置。
【請求項５】
前記副ラインは、
前記主ラインを消毒すべく次亜塩素酸系の消毒液を流通させる消毒液導入ラインと、
前記主ラインを酸洗浄すべく酢酸を含む酸洗浄液を流通させる酸洗浄液導入ラインと、
から成り、これら消毒液導入ライン及び酸洗浄液導入ラインのそれぞれに前記弁手段及び電導度検出手段が配設されたことを特徴とする請求項１又は請求項２記載の透析液供給装置。
【発明の詳細な説明】
【０００１】
【発明の属する技術分野】
本発明は、透析治療におけるダイアライザ等血液浄化器に透析液を供給するための透析液供給装置に関する。
【０００２】
【従来の技術】
透析治療は、血液回路で患者の血液を体外循環させるとともに、該血液回路に接続されたダイアライザにて当該血液中の老廃物等を除去することにより行われ、かかるダイアライザには、透析液供給装置にて所望の濃度に調製された透析液が供給される。例えば、セントラルシステム型の透析液供給装置（ダイアライザが接続された透析用監視装置と別個配設）は、従来、図８に示すようなものとされている。
【０００３】
同図において、透析液供給装置１には、給水源２から吐出ラインＬ６まで延設された主ラインＬ１に加温器３、ミキシングチャンバ４、５、脱気ユニット６、貯槽７及び送液ポンプ１０がそれぞれ接続されているとともに、当該主ラインＬ１に合流する副ラインＬ２〜Ｌ５を介してＢ原液用タンクＴ１、Ａ原液用タンクＴ２、消毒液用タンクＴ３及び酸洗液用タンクＴ４が接続されている。
【０００４】
また、各副ラインＬ２とＬ３とには、それぞれＢ原液注入ポンプ８、Ａ原液注入ポンプ９が接続されており、透析治療時において、当該Ｂ原液注入ポンプ８及びＡ原液注入ポンプ９を駆動させつつ電磁バルブＶ１及びＶ２を開けることにより、Ｂ原液用タンクＴ１及びＡ原液用タンクＴ２内の各原液を主ラインＬ１にそれぞれ供給し所定濃度の透析液を調製するとともに、送液ポンプ１０から送液し得るように構成されている。尚、上記電磁バルブＶ１及びＶ２は、所謂３方弁から成るものであり、それぞれに貯槽７から延設した循環ラインＬ７の先端も接続されている。
【０００５】
一方、副ラインＬ４の途中において副ラインＬ５が合流しており、合流部から下流側に薬注ポンプＰが接続されている。各副ラインＬ４及びＬ５の合流部よりも上流側には、電磁バルブＶ３及びＶ４がそれぞれ接続されており、いずれかを開くことにより、透析治療後の消毒又は酸洗浄が行われ得るよう構成されている。かかる消毒及び酸洗浄で用いられる消毒液用タンクＴ３内の消毒液及び酸洗液用タンクＴ４内の酸洗浄液は、次亜塩素酸系の薬剤及び酢酸を含む洗浄液とされている。
【０００６】
そして、消毒を行うには、電磁バルブＶ３を開けるとともに電磁バルブＶ４を閉じておき、薬注ポンプＰを駆動させ、主ラインＬ１及びそれに接続された種々の機器内に次亜塩素酸系の消毒液を流す。このとき、電磁バルブＶ１及びＶ２は、同図矢印方向のみに消毒液が流れるよう制御されており、貯槽７から循環ラインＬ７を介して流れた消毒液が、副ラインＬ２及びＬ３における当該電磁バルブＶ１及びＶ２より下流側にも流れ、消毒し得るよう構成されている。
【０００７】
また、酸洗浄を行うには、電磁バルブＶ４を開けるとともに電磁バルブＶ３を閉じておき、薬注ポンプＰを駆動させ、主ラインＬ１及びそれに接続された種々の機器内に酢酸を含む酸洗浄液を流す。このとき、消毒と同様、電磁バルブＶ１及びＶ２は、同図矢印方向のみに酸洗浄液が流れるよう制御されており、貯槽７から循環ラインＬ７を介して流れた酸洗浄液が、副ラインＬ２及びＬ３における当該電磁バルブＶ１及びＶ２より下流側にも流れ、酸洗浄し得るよう構成されている。
【０００８】
【発明が解決しようとする課題】
しかしながら、上記従来の透析液供給装置においては、各副ラインに接続された電磁バルブ（弁手段）における弁体の劣化等により、ラインの遮断が良好に行われなくなった場合、それを検出することができないので、以下の如き不具合を生じてしまう。
【０００９】
消毒及び酸洗浄時、３方弁から成る電磁バルブＶ１又はＶ２によるラインの遮断が良好に行われないと、その上流側に消毒液又は酸洗浄液が漏れて混入してしまい、その後の透析治療時に原液と共に混入した消毒液又は酸洗浄液がダイアライザ１６側に供給されてしまう虞がある。尚、各電磁バルブＶ１、Ｖ２より上流側に逆止弁Ｃ１、Ｃ２が接続されており、漏れた液体がそれよりも上流側へ混入してしまうのを回避することができるが、当該逆止弁Ｃ１、Ｃ２と電磁バルブＶ１、Ｖ２の間のラインに漏れた液体が混入することとなってしまう。
【００１０】
また、電磁バルブＶ３又はＶ４によるラインの遮断が良好に行われないと、消毒液に酸洗浄液が混入（又は酸洗浄液に消毒液が混入）してしまうという問題があった。尚、上記と同様、各電磁バルブＶ３、Ｖ４より上流側に逆止弁Ｃ３、Ｖ４が接続されており、漏れた液体がそれよりも上流側へ混入してしまうのを回避することができるが、当該逆止弁Ｃ３、Ｃ４と電磁バルブＶ３、Ｖ４の間のラインには漏れた液体が混入することとなってしまう。
【００１１】
即ち、上記の如き不具合は、各電磁バルブによるラインの遮断が不十分となり、当該電磁バルブより上流側に下流側を流れる他の液体が混入してしまうことにより生じているので、上流側の液体を適宜抜き取って試薬等による混入の検出を行うことにより回避することが考えられる。しかしながら、上流側の液体を抜き取るのは、手間がかかり、作業効率が悪化してしまう虞がある。
【００１２】
本発明は、このような事情に鑑みてなされたもので、作業効率を維持しつつ主ラインに接続された副ラインにおける弁手段より上流側の液体に下流側の液体が混入するのを検出することができる透析液供給装置を提供することにある。
【００１３】
【課題を解決するための手段】
請求項１記載の発明は、給水源から延設され、該給水源から供給された水と透析液の原液を混合しつつ調製された透析液を血液浄化器側に供給する主ラインと、末端が前記主ラインに合流し、液体を前記主ラインに導入し得る副ラインと、該副ラインの途中に配設され、当該副ラインから主ラインへの液体の流動を許容又は遮断し得る弁手段とを具備した透析液供給装置において、前記副ラインにおける弁手段よりも上流側に、当該副ライン中の液体の電導度を検出する電導度検出手段を設けたことを特徴とする。
【００１４】
請求項２記載の発明は、請求項１記載の透析液供給装置において、前記電導度検出手段が前記副ライン内に臨ませた複数の電極から成り、一方の電極から発振された電気信号を他方の電極で受信することにより、当該副ライン中の液体の電導度を検出することを特徴とする。
【００１５】
請求項３記載の発明は、請求項１又は請求項２記載の透析液供給装置において、前記副ラインが、原液注入ポンプが配設され、透析液の原液を前記主ラインに導入する原液導入ラインと、該原液導入ライン及び主ラインを消毒又は酸洗浄すべく消毒液又は酸洗浄液を流通させる消毒液導入ライン又は酸洗浄液導入ラインとから成るとともに、前記原液導入ラインに設けられた弁手段は、消毒又は酸洗浄時に、前記消毒液又は酸洗浄液が当該原液導入ラインの上流側に流れるのを遮断し得るものとされ、該弁手段より上流側に前記電導度検出手段が設けられたことを特徴とする。
【００１６】
請求項４記載の発明は、請求項３記載の透析液供給装置において、前記原液導入ラインが、重炭酸ナトリウムを含まないＡ原液を前記主ラインに導入するＡ原液導入ラインと、重炭酸ナトリウムから成るＢ原液を前記主ラインに導入するＢ原液導入ラインとから成り、前記Ｂ原液導入ラインの前記電導度検出手段が配設される箇所は、所定容量の収容空間を有し、該収容空間の下部からＢ原液が導かれ、上部から導出されるとともに、前記電導度検出手段が当該収容空間の高さ方向中央近傍に配設されたことを特徴とする。
【００１７】
請求項５記載の発明は、請求項１又は請求項２記載の透析液供給装置において、前記副ラインが、前記主ラインを消毒すべく次亜塩素酸系の消毒液を流通させる消毒液導入ラインと、前記主ラインを酸洗浄すべく酢酸を含む酸洗浄液を流通させる酸洗浄液導入ラインとから成り、これら消毒液導入ライン及び酸洗浄液導入ラインのそれぞれに前記弁手段及び電導度検出手段が配設されたことを特徴とする。
【００１８】
【発明の実施の形態】
以下、本発明の実施形態について図面を参照しながら具体的に説明する。
本実施形態に係る透析液供給装置は、所定濃度の透析液を調製しつつ透析用監視装置に送液するもので、透析治療用セントラルシステムを構成するものである。かかる透析用セントラルシステムは、図１に示すように、病院等医療現場における機械室に設置された透析液供給装置１と、透析室に設置された複数の透析用監視装置１１と、透析液供給装置１とそれぞれの透析用監視装置１１とを連結した吐出ラインＬ６とから主に構成されている。
【００１９】
透析液供給装置１は、所定濃度の透析液を調製し、該透析液を透析用監視装置１１に送液するためのもので、図２に示すように、給水源２から吐出ラインＬ６まで延設された主ラインＬ１に加温器３、ミキシングチャンバ４、５、脱気ユニット６、貯槽７、送液ポンプ１０がそれぞれ接続されているとともに、副ラインＬ２〜Ｌ５を介してＢ原液用タンクＴ１、Ａ原液用タンクＴ２、消毒液用タンクＴ３及び酸洗浄液用タンクＴ４がそれぞれ接続されて構成されている。尚、透析液供給装置１で調製されるべき透析液の所定濃度とは、患者の治療に最も有効な濃度をいい、予め設定されている。
【００２０】
副ラインＬ２は、その途中にＢ原液注入ポンプ８が配設され、透析液の一方の原液であるＢ原液を主ライン１に導入するＢ原液導入ラインを構成（以下、Ｂ原液導入ラインＬ２という。）しているとともに、副ラインＬ３は、その途中にＡ原液注入ポンプ９が配設され、透析液の他方の原液であるＡ原液を主ライン１に導入するＡ原液導入ラインを構成（以下、Ａ原液導入ラインＬ３という。）している。
【００２１】
Ｂ原液導入ラインＬ２及びＡ原液導入ラインＬ３におけるＢ原液注入ポンプ８及びＡ原液注入ポンプ９よりも上流側には、弁手段としての電磁バルブＶ１及びＶ２が配設されている。これら電磁バルブＶ１及びＶ２は、所謂３方弁から構成されており、Ｂ原液導入ラインＬ２から主ライン１へのＢ原液の流動を許容又は遮断し得るとともに、貯槽７から延設された循環ラインＬ７とも各々接続されている。
【００２２】
尚、Ｂ原液用タンクＴ１及びＡ原液用タンクＴ２内には、重炭酸ナトリウムから成るＢ原液、重炭酸ナトリウムを含まないＡ原液がそれぞれ充填されているとともに、消毒液用タンクＴ３及び酸洗液用タンクＴ４内には、次亜塩素酸系から成る薬剤（消毒液）及び酢酸を含む洗浄液がそれぞれ充填されている。
【００２３】
また、副ラインＬ４は、主ラインＬ１及びそれに接続された種々の機器とＢ原液導入ラインＬ２及びＡ原液導入ラインＬ３とを消毒すべく消毒液用タンクＴ３内の消毒液を流通させるよう構成（以下、消毒液導入ラインＬ４という。）されているとともに、副ラインＬ５は、主ラインＬ１及びそれに接続された種々の機器とＢ原液導入ラインＬ２及びＡ原液導入ラインＬ３とを酸洗浄すべく酸洗浄液を流通させるよう構成（以下、酸洗浄液導入ラインＬ５という。）されている。更に、消毒液導入ラインＬ４の途中において酸洗浄液導入ラインＬ５が合流しており、合流部から下流側に薬注ポンプＰが接続されている。
【００２４】
消毒液導入ラインＬ４と酸洗浄液導入ラインＬ５との合流部よりも上流側には、弁手段としての電磁バルブＶ３及びＶ４がそれぞれ接続されており、いずれかを開くことにより、透析治療後の消毒又は酸洗浄が行われ得るよう構成されている。尚、同図において、ラインＬ２〜Ｌ５における電磁バルブＶ１〜Ｖ４より上流側には、逆止弁Ｃ１〜Ｃ４がそれぞれ接続されており、各ラインＬ２〜Ｌ５の下流側から上流側への逆流の防止が図られている。
【００２５】
そして、透析治療時においては、電磁バルブＶ３及びＶ４を閉じるとともに電磁バルブＶ１及びＶ２を開放しておき、その状態で給水源２から清浄水（ＲＯ水）を主ラインＬ１に供給するとともに、Ｂ原液注入ポンプ８及びＡ原液注入ポンプ９を駆動させる。これにより、加温器３で加温された清浄水は、ミキシングチャンバ４にてＢ原液が混入された後、ミキシングチャンバ５にてＡ原液が混入されて透析液が調製される。
【００２６】
その後、調製された透析液は、混入された空気が脱気ユニット６にて取り除かれ、貯槽７に至る。かかる貯槽７では所定量の透析液が貯留され、送液ポンプ１０により吐出ラインＬ６にて透析液を送液する。吐出ラインＬ６に送液された所定濃度の透析液は、透析室の各透析用監視装置１１に供給されることとなる。
【００２７】
透析用監視装置１１は、透析液供給装置１から離間した位置（即ち、機械室から離間した位置の透析室）に、患者に透析治療を施すためのダイアライザ１６（血液浄化器）の数に対応して複数設置されたもので、透析液供給装置１から送られた透析液を夫々血液回路に接続されたダイアライザ１６に供給するとともに、透析治療時の種々データを収集するものである。
【００２８】
かかる透析室に設置された複数の透析用監視装置１１の各々は、図３に示すように、透析液供給装置１から延設された吐出ラインＬ６が引き込まれるとともに、図示しない廃液手段に接続された排出ラインＬ８を具備し、これらラインに跨って複式ポンプ１４が配設されて構成されている。また、吐出ラインＬ６及び排出ラインＬ８のそれぞれの先端は、血液回路１７に接続されたダイアライザ１６における透析液導入ポート１６ａ、透析液排出ポート１６ｂに接続されている。
【００２９】
複式ポンプ１４のポンプ室は、図示しない単一のプランジャにより、吐出ラインＬ６に接続された送液側ポンプ室１４ａと排出ラインＬ８に接続された排出側ポンプ室１４ｂとに画成されており、当該プランジャが往復動することにより、送液側ポンプ室１４ａに送られた透析液をダイアライザ１６に供給するとともに、ダイアライザ１６内の透析液を排出側ポンプ室１４ｂに吸入するよう構成されている。
【００３０】
更に、吐出ラインＬ６における複式ポンプ１４より上流側には、加温器１２が接続されており、ダイアライザ１６に供給される透析液を再度加温（透析液供給装置１における加温器３である程度は加温されている）し得るようになっている。また、排出ラインＬ８には、複式ポンプ１４をバイパスしたバイパスラインＬ９が形成されており、該バイパスラインＬ９に除水のための除水ポンプ１５が接続されている。尚、同図中符号１３は、吐出ラインＬ６に接続された脱気手段を示している。
【００３１】
また更に、上記透析用監視装置１１には、ダイアライザ１６に供給する前の透析液の濃度を検出する濃度センサ、ダイアライザ１６から排出された透析液中に血液が混入しているか否かを検出するための漏血検出器が配設されており、当該透析液監視装置１１内の種々データを収集し得るよう構成されており、加えて、血液回路１７に配設された静脈圧検出器（いずれも不図示）等からの透析治療時の種々データを収集し得るよう構成されている。
【００３２】
その一方、透析治療後において透析液供給装置１及び透析用監視装置１１内を消毒又は酸洗浄するには、電磁バルブＶ１、Ｖ２を閉じつつ電磁バルブＶ３又はＶ４のいずれかを開けて、薬注ポンプＰを駆動させ、主ラインＬ１内に消毒液用タンクＴ３内の消毒液又は酸洗浄用タンクＴ４内の酸洗浄液を供給する。また、３方弁から成る電磁バルブＶ１及びＶ２は、完全に液体の流れを遮断しているのではなく、Ｂ原液導入ラインＬ２及びＡ原液導入ラインＬ３における上流側から下流側へのＡ原液及びＢ原液の流動のみを遮断しており、循環ラインＬ７を介する電磁バルブＶ１及びＶ２よりも下流側への消毒液等の流動（同図矢印方向への流動）は許容するよう制御されている。
【００３３】
これにより、消毒液や酸洗浄液は、主ラインＬ１を流れた後、吐出ラインＬ６を介して透析用監視装置１１における各ラインを消毒又は酸洗浄しつつ流れ、廃液手段（不図示）に至るとともに、貯槽７から循環ラインＬ７を介して電磁バルブＶ１及びＶ２にも流れ、そこからＢ原液導入ラインＬ２及びＡ原液導入ラインＬ３の下流側を消毒又は酸洗浄しつつ流れることとなる。
【００３４】
ここで、電磁バルブＶ１、Ｖ２の弁体の劣化等により循環ラインＬ７を流れる消毒液や酸洗浄液がＢ原液導入ラインＬ２及びＡ原液導入ラインＬ３における当該電磁バルブＶ１、Ｖ２よりも上流側（逆止弁Ｃ１及びＣ２によるラインの遮断が良好に行われている場合は、当該逆止弁Ｃ１、Ｃ２と電磁バルブＶ１、Ｖ２の間のライン）に漏れる可能性、及び電磁バルブＶ３又はＶ４の弁体の劣化等により消毒液用タンクＴ３内の消毒液が酸洗浄液に混入（その逆に酸洗浄液用タンクＴ４内の酸洗浄液が消毒液に混入する場合もある）する可能性があるが、その漏れによる消毒液等のＡ原液及びＢ原液への混入や消毒液と酸洗浄液との混ざりは、電導度検出手段１８〜２１により検出される。勿論、電磁バルブＶ１〜Ｖ４に加え、逆止弁Ｃ１〜Ｃ４における弁体の劣化等による漏れが生じた場合であっても、電導度検出手段１８〜２１で検出できる。
【００３５】
かかる電導度検出手段１８〜２１は、図２に示すように、副ラインとしてのＢ原液導入ラインＬ２、Ａ原液導入ラインＬ３、消毒液導入ラインＬ４及び酸洗浄液導入ラインＬ５における電磁バルブＶ１〜Ｖ４よりも上流側（即ち、Ｂ原液用タンクＴ１、Ａ原液用タンクＴ２、消毒液用タンクＴ３及び酸洗浄液用タンクＴ４と接続された側）に配設され、それらライン中の液体の電導度を検出し得るよう構成されたものである。
【００３６】
例えば、これら電導度検出手段１８〜２１は、各ラインにおける電磁バルブＶ１〜Ｖ４よりも上流側にある液体の電導度を逐次検出し、検出された電導度が所定の範囲内にあるか否かを判断し得るよう構成されたものである。即ち、電磁バルブＶ１〜Ｖ４がその弁体の劣化等により漏れを生じた場合、閉じた状態であっても当該電磁バルブより下流側の液体が上流側に漏れて混入し、電導度検出手段１８〜２１で検出される電導度が変化して所定範囲を超えることとなるので、これを検出すれば、上記混入を認識することができるのである。
【００３７】
より具体的には、消毒液導入ラインＬ４及び酸洗浄液導入ラインＬ５に接続された電導度検出手段２０、２１は、図４及び図５に示すように、消毒液導入ラインＬ４及び酸洗浄液導入ラインＬ５に接続されたポートＰ１〜Ｐ４と、これらポートのうちＰ１とＰ２及びＰ３とＰ４とをそれぞれ連通して消毒液導入ラインＬ４及び酸洗浄液導入ラインＬ５の一部を構成する連通孔２２ａが内部に形成された本体２２と、該連通孔２２ａのそれぞれに臨ませた（即ち、消毒液導入ラインＬ４及び酸洗浄液導入ラインＬ５に臨ませた）電極Ｄ１〜Ｄ４（一方の電極Ｄ１と他方の電極Ｄ２を対、一方の電極Ｄ３と他方の電極Ｄ４とで対を成している）とから主に構成されている。
【００３８】
一方の電極Ｄ１（Ｄ３）及び他方の電極Ｄ２（Ｄ４）には、それぞれ発振回路及び受信回路（いずれも不図示）が接続されており、発振回路から出力する電気信号（発振周波数及び発振波形を１〜１０ＫＨｚのサイン波に設定するのが好ましい）が電流値として発せられる一方、受信回路には電圧値としての受信信号で伝達される。伝達された電圧値としての受信信号の大きさは、連通孔２２ａ内に満たされた液体の電導度の大きさに従って増減するので、当該液体の電導度を検出することができる。
【００３９】
即ち、各連通孔２２ａ内に消毒液又は酸洗浄液のみが充填されている場合における他方の電極Ｄ２（Ｄ４）の電圧値としての受信信号を基準値とする一方、消毒又は酸洗浄時に逐次電圧値を検出することにより、電磁バルブＶ３又はＶ４から下流側の液体が漏れて消毒液又は酸洗浄液に混入すれば、検出値が基準値より上下にずれるのである。より好ましくは、基準値から上下に所定しきい値を設けて許容範囲とし、検出値が許容範囲を超えた場合に、消毒液又は酸洗浄液に下流側の液体が混入したことを認識するようにする。
【００４０】
これにより、消毒中において電磁バルブＶ４が漏れて、消毒液が当該電磁バルブＶ４より上流側にある酸洗浄液に混入したことを正確に検出することができ、その場合、運転を即座に停止することができるので、これら消毒液と酸洗浄液とが混ざることによって生じる化学反応を抑制することができる。また、同様に、酸洗浄中において電磁バルブＶ３が漏れて、酸洗浄液が当該電磁バルブＶ３より上流側にある消毒液に混入したことも正確に検出することができるので、消毒液と酸洗浄液とが混ざることによって生じる化学反応を抑制することができる。
【００４１】
一方、Ｂ原液導入ラインＬ２に接続された電導度検出手段１８は、図６及び図７に示すように、Ｂ原液導入ラインＬ２に接続されたＰ５及びＰ６と、これらポートを連通してＢ原液導入ラインＬ２の一部を構成する収容空間２３ａが内部に形成された本体２３と、該収容空間２３ａに臨ませた（即ち、Ｂ原液導入ラインＬ２に臨ませた）一対の電極Ｄ５及びＤ６とから主に構成されている。尚、同図中符号Ｃ２は、Ｂ原液導入ラインＬ２の上流側に接続された逆止弁を示している。
【００４２】
一対の電極Ｄ５及びＤ６は、電導度検出手段２０、２１に配設された電極と同様、発振回路及び受信回路に接続されており、発振信号から出力する電気信号が電流値として発せられる一方、受信回路には電圧値としての受信信号で伝達されるよう構成されている。これにより、消毒又は酸洗浄において、電圧値としての受信信号の大きさを検出すれば、循環ラインＬ７を介して電磁バルブＶ１より下流側を流れる消毒液又は酸洗浄液が漏れて、収容空間２３ａ内のＢ原液に混入したことが検出できる。
【００４３】
また、収容空間２３ａは所定容量のチャンバを成しており、その下部からＢ原液用タンクＴ１のＢ原液が導かれ、上部から導出されるよう構成されている。即ち、収容空間２３ａに対し、ポートＰ５とＰ６とが上下にオフセットされており、ポートＰ５を介して収容空間２３ａ下部に導入されたＢ原液は、ポートＰ６を介して当該収容空間２３ａの上部から導出されるのである。
【００４４】
従って、Ｂ原液（重炭酸ナトリウム）から生じた炭酸ガス等を収容空間の上部に逃がすことができ、当該Ｂ原液の流通を良好とすることができる。また、一対の電極Ｄ５及びＤ６は、収容空間２３ａの高さ方向中央近傍に配設されているため、これら電極Ｄ５及びＤ６がＢ原液の流通経路に略沿って配設されることとなるので、より正確な電導度の検出を行うことができる。
【００４５】
尚、Ａ原液導入ラインＬ３に配設された電導度検出手段１９も、上記電導度検出手段１８と同様な構成とされて収容空間内の液体の電導度を検出し得るよう構成されているが、当該Ａ原液は炭酸ガス等が生じないため、チャンバ効果は得られない。従って、消毒液導入ラインＬ４又は酸洗浄液導入ラインＬ５に配設されたものの如き収容空間を持たない（単に連通孔が形成されたもの）電導度検出手段としてもよい。
【００４６】
上記透析液供給装置１によれば、各副ラインに接続された電磁バルブよりも上流側に、当該副ライン中の液体の電導度を検出する電導度検出手段を設けたので、かかる部位の液体を抜き取って試薬等により混入を検出するものに比べ、作業性を維持することができるとともに、当該電磁バルブより上流側の液体に下流側の液体が混入するのを素早く検出することができる。
【００４７】
更に、各副ラインにおける下流側から上流側への液混入検出のみでなく、例えば、誤って消毒液タンクＴ３に酸洗浄液を入れた場合、消毒液と酸洗浄液との電導度の違いから、その誤りを検出することができるので、透析治療における安全性をより向上させることができる。
【００４８】
以上、本実施形態について説明したが、本発明はこれに限定されるものではなく、例えば上記の如く中央の透析液供給装置で調製された透析液を各透析用監視装置に分配するセントラルシステムに代え、血液浄化器毎（即ち透析治療患者の各々）に透析液の調製及び供給を行い得る個人用の透析装置に適用することができる。
【００４９】
また、本実施形態における消毒液導入ラインＬ４及び酸洗浄液導入ラインＬ５に配設された電導度検出手段２０、２１は、一体の本体２２を具備しているが、これらを別々の本体として、各々に一対の電極を備えるようにしてもよく、反対に、Ｂ原液導入ラインＬ２及びＡ原液導入ラインＬ３に配設された電導度検出手段１８、１９を一体の本体に形成するようにしてもよい。
【００５０】
更に、電導度検出手段は、上記したものに限定されず、他の電導度を検出し得る手段（電気信号の送受に限定されない）に代えてもよい。また更に、透析液供給装置における他の副ライン（Ｎａを主ラインに供給するライン等）を配設した場合、かかるラインに弁手段を設け、その上流側に電導度検出手段を配設するようにしてもよい。
【００５１】
【発明の効果】
請求項１の発明によれば、副ラインにおける弁手段よりも上流側に、当該副ライン中の液体の電導度を検出する電導度検出手段を設けたので、作業効率を維持しつつ主ラインに接続された副ラインにおける弁手段より上流側の液体に下流側の液体が混入するのを素早く検出することができる。
【００５２】
請求項２の発明によれば、電導度検出手段が副ライン内に臨ませた複数の電極から成り、一方の電極から発振された電気信号を他方の電極で受信することにより、当該副ライン中の液体の電導度を検出するので、弁手段より上流側の液体に下流側の液体が混入するのを簡単な構成にて正確に検出することができる。
【００５３】
請求項３の発明によれば、原液導入ラインに設けられた弁手段より上流側に電導度検出手段が設けられているので、作業効率を維持しつつ主ラインに接続された原液導入ラインにおける弁手段より上流側の原液に下流側の消毒液等が混入するのを正確に検出することができる。
【００５４】
請求項４の発明によれば、Ｂ原液導入ラインの電導度検出手段が配設される箇所が所定容量の収容空間を有し、該収容空間の下部からＢ原液が導かれ、上部から導出されるので、Ｂ原液から生じた炭酸ガス等を収容空間の上部に逃がすことができるとともに、電導度検出手段が当該収容空間の高さ方向中央近傍に配設されているので、Ｂ原液の流通経路に略沿って当該電導度検出手段が配設されることとなり、収容空間内の液体の電導度をより正確に検出することができる。
【００５５】
請求項５の発明によれば、消毒液導入ライン及び酸洗浄液導入ラインのそれぞれに前記弁手段及び電導度検出手段が配設され、消毒液及び酸洗浄液における互いの混入を検出することができるので、消毒液を構成する次亜塩素酸と酸洗浄液に含まれる酢酸とが混ざることにより化学反応が生じるのを回避することができる。
【図面の簡単な説明】
【図１】本発明の実施形態に係る透析液供給装置が適用されるセントラルシステムの概要を示す模式図
【図２】本発明の実施形態に係る透析液供給装置の概要を示す模式図
【図３】本発明の実施形態に係る透析液供給装置で調整された透析液が送液されるべき透析用監視装置の概要を模式図
【図４】本発明の実施形態に係る透析液供給装置における消毒液導入ライン及び酸洗浄液導入ラインに配設された電導度検出手段を示す平面図
【図５】図４におけるＶ−Ｖ線断面図
【図６】本発明の実施形態に係る透析液供給装置におけるＢ原液導入ライン又はＡ原液導入ラインに配設された電導度検出手段を示す正面図及び右側面図
【図７】図６におけるＶＩＩ−ＶＩＩ線断面図
【図８】従来の透析液供給装置の概要を示す模式図
【符号の説明】
１…透析液供給装置
２…給水源
３…加温器
４、５…ミキシングチャンバ
６…脱気ユニット
７…貯槽
８…Ｂ原液注入ポンプ
９…Ａ原液注入ポンプ
１０…送液ポンプ
１１…透析用監視装置
１２…加温器
１３…脱気手段
１４…複式ポンプ
１５…除水ポンプ
１６…ダイアライザ（血液浄化器）
１７…血液回路
１８〜２１…電導度検出手段
２２…本体
２２ａ…連通孔
２３…本体
２３ａ…収容空間
Ｔ１…Ｂ原液用タンク
Ｔ２…Ａ原液用タンク
Ｔ３…消毒液用タンク
Ｔ４…酸洗液用タンク
Ｌ１…主ライン
Ｌ２…Ｂ原液導入ライン（副ライン）
Ｌ３…Ａ原液導入ライン（副ライン）
Ｌ４…消毒液導入ライン（副ライン）
Ｌ５…酸洗浄液導入ライン（副ライン）
Ｌ６…吐出ライン
Ｌ７…循環ライン
Ｖ１〜Ｖ４…電磁バルブ（弁手段）
Ｐ…薬注ポンプ
【図１】
2004016413.tif 000003
【図２】
2004016413.tif 000004
【図３】
2004016413.tif 000005
【図４】
2004016413.tif 000006
【図５】
2004016413.tif 000007
【図６】
2004016413.tif 000008
【図７】
2004016413.tif 000009
【図８】
2004016413.tif 000010